(57)【特許請求の範囲】
【請求項１】
枠状の外側領域及び該外側領域に取り囲まれた内側領域を設けたワイヤー製のラス網と、枠状の外側領域及び該外側領域に取り囲まれた内側領域を設けた耐火繊維製の耐火ネットと、モルタルをボード状に成形し、表面、裏面及び外周面を設けたモルタル基材とを備え、
前記ラス網の内側領域と耐火ネットの内側領域とが対向してモルタル基材内に埋め込まれ、前記ラス網の内側領域が前記モルタル基材の表面又は裏面と対向し、前記耐火ネットの内側領域が前記モルタル基材の裏面又は表面と対向し、前記ラス網の外側領域及び耐火ネットの外側領域がモルタル基材の外周面から突出し、
前記ラス網の内側領域は、モルタル基材内に完全に埋め込まれ、前記耐火ネットの内側領域は、モルタル基材の表面に沿うように埋め込まれ、前記ラス網の外側領域及び耐火ネットの外側領域は、重ね合わされていることを特徴とするモルタルボード。
【請求項２】
前記モルタル基材の外周面と表面との境界部は、斜面とされていることを特徴とする請求項１に記載のモルタルボード。
【請求項３】
前記モルタル基材は、気泡モルタルによって成形されていることを特徴とする請求項１又は２に記載のモルタルボード。
【発明の詳細な説明】
【技術分野】
【０００１】
本発明は、例えば建築物の耐火壁を施工するためのモルタルボードに関する。
【背景技術】
【０００２】
住宅などの建築物の壁は、モルタルなどによって施工されている。例えば、特許文献１には、図４に示すようなモルタル壁用基材１１０が記載されている。このモルタル壁用基材１１０は、非透水性シート１１１上に有機材料製ネット１１２と金属材料製ネット１１３を順に積層して固定した構成とされている。
【０００３】
このようなモルタル壁用基材１１０は、所定寸法に裁断され、ステープルを用いて建築物の構造用部材１００に取り付けられる。そして、有機材料ネット１１２及び金属材料ネット１１３を埋設させるほどにモルタル１２０が塗られる（下塗り処理）。このモルタル１２０が十分に乾燥した後に、新たなモルタルが塗られる（中塗り処理）。そして、この新たなモルタルが半乾き状態で、さらに新たなモルタルが塗られる（上塗り処理）。このようにして、所定厚の壁が施工される。
【先行技術文献】
【特許文献】
【０００４】
【特許文献１】特開２０１０−１６３７９３号公報
【発明の概要】
【発明が解決しようとする課題】
【０００５】
特許文献１に記載されたモルタル壁用基材１１０を使用して壁を施工するには、モルタル壁用基材１１０を構造用部財１００に取り付けた上で、モルタルを下塗り処理、中塗り処理、上塗り処理しなければならない。したがって、特許文献１に記載された方法で壁を施工するには、モルタル１２０を塗る工程によって工期を費やすだけでなく、モルタル１２０を塗る左官技量によって、壁の仕上げが不均一になることもある。
【０００６】
そこで、本発明は、耐火性能を備えるだけでなく、施工性に優れたモルタルボードを提供することを課題とする。
【課題を解決するための手段】
【０００７】
本発明に係るモルタルボードは、枠状の外側領域及び該外側領域に取り囲まれた内側領域を設けたワイヤー製のラス網と、枠状の外側領域及び該外側領域に取り囲まれた内側領域を設けた耐火繊維製の耐火ネットと、モルタルをボード状に成形し、表面、裏面及び外周面を設けたモルタル基材とを備え、前記ラス網の内側領域と耐火ネットの内側領域とが対向してモルタル基材内に埋め込まれ、前記ラス網の内側領域が前記モルタル基材の表面又は裏面と対向し、前記耐火ネットの内側領域が前記モルタル基材の裏面又は表面と対向し、前記ラス網の外側領域及び耐火ネットの外側領域がモルタル基材の外周面から突出し、前記ラス網の内側領域は、モルタル基材内に完全に埋め込まれ、前記耐火ネットの内側領域は、モルタル基材の表面に沿うように埋め込まれ、前記ラス網の外側領域及び耐火ネットの外側領域は、重ね合わされていることを特徴とする。
【０００８】
このモルタルボードは、多数枚を倉庫に保管しておくことができ、倉庫から建築現場の仮置き場まで一括して搬送し、例えば、建築中の複数の柱に１枚ずつ固定することで、耐火壁を容易に施工することができる。モルタルボードは、ラス網の外側領域及び耐火ネットの外側領域が例えば一対の立設された柱に宛がわれ、ステープルがラス網の外側領域を跨ぐように柱に打ち付けられることで固定される。そして、ラス網によって、モルタルが剥落しないようにされ、耐火ネットによって、火災発生時にモルタル基材が割れないようにされている。
【００１０】
このモルタルボードによれば、ラス網の内側領域がモルタル基材に完全に埋め込まれ、すなわち、ラス網の内側領域がモルタル基材の厚さ方向の中間に配置され、耐火ネットの内側領域がモルタル基材の表面に沿うように埋め込まれることにより、ラス網の内側領域と耐火ネットの内側領域とは、一定の間隔をもって離れるため、ラス網と耐火ネットがモルタル基材を半分の厚さで挟むことで、火災発生時に、モルタル基材が曲がりにくいようにすることができる。そして、ラス網の外側領域と耐火ネットの外側領域とが重ねあわされていることにより、この外側領域を柱に宛がって固定しやすくすることができる。
【００１１】
また、本発明に係るモルタルボードの一態様として、前記モルタル基材の外周面と表面との境界部は、斜面とされている構成を採用することができる。
【００１２】
このモルタルボードによれば、耐火ネットの内側領域と外側領域との境界部がモルタル基材の斜面に沿うため、直角に折れ曲がらず、この境界部で破断しにくいようにすることができる。
【００１３】
また、本発明に係るモルタルボードの他の態様として、前記モルタル基材は、気泡モルタルによって成形されている構成を採用することができる。
【００１４】
このモルタルボードによれば、モルタルボードが気泡モルタルによって成形されていることにより、モルタルボードの軽量化と断熱性能の向上を図ることができる。
【発明の効果】
【００１５】
本発明によれば、ボード状のモルタル基材内にラス網と耐火ネットを埋め込んだモルタルボードが提供されることにより、耐火壁などを効率的に施工することができる。
【図面の簡単な説明】
【００１６】
【図１】本発明に係るモルタルボードの一実施形態を示し、（ａ）は一部を破断した裏面側からの正面図、（ｂ）は（ａ）のＡ部分の要部拡大断面図である。
【図２】（ａ）（ｂ）（ｃ）（ｄ）は、本発明の一実施形態に係るモルタルボードの製造工程を示す断面図である。
【図３】本発明の一実施形態に係るモルタルボードを使用した耐火壁を示す一部断面概略斜視図である。
【図４】従来のモルタル壁用基礎材を使用したモルタル壁構造を示す概略斜視図である。
【発明を実施するための形態】
【００１７】
本発明に係るモルタルボードの一実施形態について図１ないし図３を参照しながら説明する。このモルタルボードは、図１に示すように、鋼製のようなワイヤー１を網目に組んだラス網１０と、耐アルカリ性ガラス繊維のような耐火繊維２を網目に組んだ耐火ネット２０と、厚さのあるボード状にモルタル３を成形したモルタル基材３０とを備えている。
【００１８】
ラス網１０の網目及び耐火ネット２０の網目は、格子状や亀甲状、菱形状など形態を限定するものでなく、また、平織網目、綾織網目、紋織網目などの編み方も限定しない。いずれにしても、ラス網１０及び耐火ネット２０の輪郭は、四角形状（図面では一例として長方形）で、枠状の外側領域１１，２１及びこの外側領域１１，２１に取り囲まれた内側領域１２，２２を有している。ただし、耐火ネット２０は、例えば耐アルカリ性ガラス繊維のような耐火繊維２から形成され、柔軟性に富んでいることから、耐火ネット２０の網目は、ラス網１０の網目よりも小さくされている。
【００１９】
そして、モルタル基材３０は、気泡モルタル３によって多数の気泡（図示せず）が設けられたものとされ、かつ、表面３１、裏面３２及び外周面３３を有する四角形（図面では一例として長方形）の板状とされている。四角形のモルタル基材３０にあっては、四つの外周面３３を有している。また、例えばモルタル基材３０の中心線状の二か所には、小孔３４，３４が形成されている。
【００２０】
そして、ラス網１０の内側領域１２及び耐火ネット２０の内側領域２２がモルタル基材３０の表裏両面３１，３２と対向するように、好ましくは、平行にモルタル基材３０内に埋め込まれ、ラス網１０の外側領域１１及び耐火ネット２０の外側領域２１がモルタル基材３０の四つの外周面３３から突出している。
【００２１】
ただし、ラス網１０の内側領域１２は、モルタル基材３０の厚さ方向の中心に埋め込まれている。すなわち、ラス網１０の内側領域１２の両面ともにモルタル３が積層され、片面がモルタル基材３０の表面３１又は裏面３２と対向している。なお、この実施形態では、ラス網１０の内側領域の片面は、モルタル基材３０の裏面３２と対向している。
【００２２】
また、耐火ネット２０の内側領域２２は、モルタル基材３０の表面３１に沿うように埋め込まれている。すなわち、耐火ネット２０の表面側にはモルタル３が積層されずに網目内に充填され、耐火ネット２０の裏面側にのみモルタル３が積層されている。したがって、ラス網１０の内側領域１２と耐火ネット２０の内側領域２２とは、一定の間隔を空けて、平行に配置されている。
【００２３】
ただし、ラス網１０の外側領域１１と耐火ネット２０の外側領域２１とは重ね合わされている。したがって、ラス網１０の外側領域１１及び耐火ネット２０の外側領域２１は、モルタル基材３０の外周面３３の中心線から突出している。そのため、モルタル基材３０の外周面３３と表面３１との境界部３５は、面取りされて斜面とされている。そして、耐火ネット２０もこの斜面とされた境界部３５に沿って斜め向きとされている。耐火ネット２０は、この境界部３５において直角に折り曲げられず、斜め向きとされることにより、折損しにくいようにされている。
【００２４】
ここで、このようなモルタルボードの製造方法について、図２を参照しながら説明する。まず、図２（ａ）に示すように、コール板と呼ばれる水平姿勢のベニヤ板５１上に枠状の止め板５２を固定しておく。止め板５２の内周は、モルタル基材３０の外周と同じ大きさとされ、斜面５２ａが形成されている。
【００２５】
そして、図２（ｂ）に示すように、ベニヤ板５１上に耐火ネット２０の内側領域２２を載せ、止め板５２上に耐火ネット２０の外側領域２１とラス網１０の外側領域１１を載せる。ラス網１０の内側領域１２は、ベニヤ板５１から浮いた状態となっている。そして、止め板５２上に鉄枠５３を固定する。鉄枠５３の内周面は、止め板５２の斜面５２ａに連続するように形成されている。
【００２６】
そして、図２（ｃ）に示すように、ベニヤ板５１と止め板５２と鉄枠５３とによって囲まれた空間５４内に粘状のモルタル３ａを充填する。粘状のモルタル３ａの上面が鉄枠５３の上面と一致又はわずかに下側になるまで、粘状のモルタル３ａを空間５４内に充填する。このようにして、粘状のモルタル３ａは、耐火ネット２０の網目内に充填され、ラス網１０を完全に埋め込む。
【００２７】
粘状のモルタル３ａが固まるまで１日以上がかかるため、多数枚のモルタルボードを一括して製造するには、図２（ｄ）に示すように、粘状のモルタル３ａを空間５４内に充填したベニヤ板５１、止め板５２、鉄枠５３の積層体５０を、スペーサ５５を介して積み重ねる。なお、図２（ｄ）には、４層に積み重ねられた積層体５０が図示されているが、積層体５０を１０層以上に積み重ねてよいことはいうまでもない。
【００２８】
このようにして、積層体５０の空間５４に充填された粘状のモルタル３ａが固まると、図１に示すようなモルタルボードが一括して多数枚製造される。このモルタルボードは、ベニヤ板５１に接した面が滑らかな表面３１とされ、鉄枠５３側で露出した面が粗い裏面３２とされる。
【００２９】
そして、この多数枚のモルタルボードは、倉庫に保管され、必要な枚数のモルタルボードが建築現場へ搬送される。モルタルボードは、所定のサイズに揃えられているため、保管や搬送を効率的に行うことができる。なお、気泡モルタルによって製造されたモルタルボードは、軽量化されているため、搬送の負担が軽減されている。
【００３０】
そして、建築現場において、複数本の柱Ｐが立設され、また、柱Ｐと柱Ｐとの間に間柱Ｑが立設された段階で、図３に示すように、複数枚のモルタルボードを固定することで、耐火壁が施工される。すなわち、モルタルボードのラス網１０の縦方向外側領域１１と耐火ネット２０の縦方向外側領域２１が柱Ｐに宛がわれ、コ字形状のステープルがラス網１０を跨ぐように柱Ｐに打ち付けられる。また、モルタル基材３０の小孔３４，３４が間柱Ｑに重なり、小孔３４，３４から間柱Ｑに補強ビス４が締められる。
【００３１】
このようにして、モルタルボードを柱Ｐ及び間柱Ｑに次々と固定することで、耐火壁が施工される。なお、隣り合ったモルタル基材３０とモルタル基材３０との間で露出しているラス網１０の外側領域１１及び耐火ネット２０の外側領域２１は、目地材（図示せず）が充填されることで被覆される。
【００３２】
そして、耐火壁の外面に漆喰（しっくい）（図示せず）が塗られることで、外壁が仕上げられる。モルタル３として、気泡モルタルが使用されると、モルタル基材３０の表面３１に形成された気泡内に漆喰が食い込み、漆喰がモルタルボードから剥離しにくくなる。
【００３３】
このようにして建築された家屋の隣家において火災が発生しても、この耐火壁を備えた家屋は延焼しない。すなわち、気泡モルタルによって製造されたモルタル基材３０は、内部に空気溜まりが形成されていることから、断熱性が向上している。また、モルタルボードのモルタル基材３０が耐火性を備えているだけでなく、昇温することで変形しやすくなっても、ラス網１０がモルタル基材３０を補強し、耐火ネット２０によってモルタル基材３０が割れないようにされている。
【００３４】
さらに、ラス網１０と耐火ネット２０とが離れて配置されていることにより、ラス網１０と耐火ネット２０とがモルタル３を挟んでいることで、モルタル基材３０が曲げられにくくされている。したがって、このモルタルボードは、火災時にモルタルが剥落しないことから、延焼を食い止めることができる。
【００３５】
なお、本発明は、前記実施の形態に限定することなく種々変更することができる。例えば、このモルタルボードは、壁だけでなく、床や天井などとしても使用することができる。また、モルタルボードは、正面形状を四角形だけでなく、六角形や三角形などに形成してもよい。
【００３６】
また、耐火ネット２０の内側領域２２は、ラス網１０の内側領域１２に重ねられ、モルタル基材３０に完全に埋め込まれるようにしてもよい。また、モルタルは、気泡モルタルでなく、セメントに適量の砂と消石灰などの混和剤及び水を添加した一般的なものを使用してもよい。
【符号の説明】
【００３７】
１………ワイヤー
２………耐火繊維
３………モルタル
１０……ラス網
１１……外側領域
１２……内側領域
２０……耐火ネット
２１……外側領域
２１……外側領域
２２……内側領域
３０……モルタル基材
３１……表面
３２……裏面
３３……外周面
３５……境界部
【図１】
0005568589.tif 000002
【図２】
0005568589.tif 000003
【図３】
0005568589.tif 000004
【図４】
0005568589.tif 000005